(57)【特許請求の範囲】
【請求項１】
特にオレンジジュースおよび他の同様の飲料などの液状食品のための容器のキャップ（１）であって、
当該キャップ（１）を少なくとも１つのさらなる同様のキャップ（１’、１’’）に対して着脱可能に機械的に取り付けるために適した取り付け手段と、
軸方向に延在しており、上部がベース（６）によって閉じられており、容器との接続に適している中央の本体（２）と、
前記中央の本体（２）を囲んでおり、前記中央の本体（２）に接続されている環状のスカート（１０）と、を備えており、
前記スカート（１０）が、空気の通過を許す通路を形成すべく前記中央の本体（２）から半径方向に離れており、
前記取り付け手段が、先の前記キャップに前記さらなるキャップ（１’’）を軸方向に重ね合わせる軸方向の取り付け手段を含んでおり、
前記軸方向の取り付け手段が、軸方向に突き出している少なくとも１つの歯（３０）を備えており、
前記歯（３０）が、前記重なり合うさらなるキャップ（１’’）のスカートとの係合に適しているキャップ。
【請求項２】
主軸（Ｘ）を有する環状のスカート（１０）を備えており、
前記スカート（１０）が、先の前記キャップに対して、前記さらなるキャップ（１’）のスカートを横方向に取り付けることができる横取り付け手段を備えている請求項１に記載のキャップ。
【請求項３】
前記横取り付け手段が、前記スカート（１０）から突き出している複数のリブ（２０）を備えており、
前記各リブ（２０）は間隔をあけて位置し、互いのリブの間に前記さらなるキャップ（１’）の各リブを受け入れるために適した座（２２）を形成している請求項２に記載のキャップ。
【請求項４】
前記複数のリブが、環状に分けられた複数のグループに分割されており、１つのリブのグループのリブの数が、隣のリブのグループのリブの数とは異なる請求項３に記載のキャップ。
【請求項５】
２つのリブを含むグループと、３つのリブを含むグループとが交互に位置している請求項４に記載のキャップ。
【請求項６】
前記スカートが、一連なりの側面（１２）によって多角形の形状に形成されている請求項２〜５のいずれか一項に記載のキャップ。
【請求項７】
前記リブのグループが、前記側面（１２）から突き出している請求項４または５を引用する請求項６に記載のキャップ。
【請求項８】
前記リブ（２０）が、互いに平行である請求項３〜７のいずれか一項に記載のキャップ。
【請求項９】
前記リブ（２０）の厚さが、軸方向に前記スカートの下側の自由縁（１０ａ）から上側の自由縁（１０ｂ）に向かって減少している請求項３〜８のいずれか一項に記載のキャップ。
【請求項１０】
前記中央の本体（２）を前記スカート（１０）へと接続する角度間隔で位置するタブ（１６）が、放射状に延びている請求項１に記載のキャップ。
【請求項１１】
前記スカート（１０）が、前記中央の本体（２）の上方に位置し、上側の自由縁（１０ｂ）によって画定されており、前記重なり合うさらなるキャップ（１’’）の歯を係合させることができる開口（１４）を有している請求項９または１０に記載のキャップ。
【請求項１２】
前記歯（３０）が、前記タブ（１６）から軸方向に突き出している請求項１０に記載のキャップ。
【請求項１３】
前記歯（３０）が、前記重なり合うさらなるキャップ（１’’）のスカートへの挿入のための斜めの案内面を有している請求項１２に記載のキャップ。
【請求項１４】
容器から取り外されるときに破れるために適した保証シール（８）を備えている請求項１〜１３のいずれか一項に記載のキャップ。
【請求項１５】
プラスチック材料で一部品にて製作された請求項１〜１４のいずれか一項に記載のキャップ。
【請求項１６】
請求項１〜１５のいずれか一項に従って製作された複数のキャップ（１、１’、１’’）を、互いに横並びおよび／または軸方向に重ね合わせに配置し、着脱可能な様相で互いに取り付けてなる集合体。
【発明の詳細な説明】
【技術分野】
【０００１】
本発明は、容器のプラスチックキャップに関し、特にフルーツジュースなどのとりわけ子供向けの液状食品の容器のキャップに関する。
【発明の概要】
【発明が解決しようとする課題】
【０００２】
本発明の目的は、同種のキャップをひとたび瓶から取り外されたならば玩具として使用できることで、特に子供の視点において、注目を引き、瓶または容器の購入を促すことにある。
【課題を解決するための手段】
【０００３】
そのような目的が、請求項１に従って製造されるキャップによって達成される。
【０００４】
本発明によるキャップの特徴および利点が、添付の図面を参照しつつ、あくまでも本発明を限定するものではない例によって行われる以下の説明から明らかであろう。
【図面の簡単な説明】
【０００５】
【図１】本発明の一実施の形態によるキャップを示している。
【図２】図１のキャップを別の図によって示している。
【図３】図１のキャップの上面図である。
【図４】互いに横方向に係合させられた図１によるキャップの集団を示している。
【図５】互いに横方向に係合させられかつ互いに重ね合わせられた図１によるキャップの集団を、部分断面図にて示している。
【発明を実施するための形態】
【０００６】
添付の図面を参照すると、参照番号１が、特に子供向けのフルーツジュースおよび他の飲料などの液体の容器のためのキャップであって、好ましくはプラスチックで製作されるキャップの全体を指し示している。
【０００７】
キャップ１は、中心軸Ｘに沿って延びる中央の本体２を備えている。
【０００８】
中央の本体２は、好ましくは外側が円柱形であり、容器の頸部または可撓パッケージの吸い口との螺合のためのねじ山４が、内側に設けられている。
【０００９】
中央の本体２は、ベース６によって上部において閉じられている。
【００１０】
さらに、中央の本体２は、好ましくは、キャップが容器から取り外されるときに破れるために適した保証シール８を、たとえば中央の本体２のベース６とは反対側の下端に配置して備えている。
【００１１】
保証シール８の構成および機能の詳細は、たとえば本出願の出願人の名義による国際出願ＷＯ  ２００８／０５０３６１に記載されている。
【００１２】
さらに、キャップ１は、中央の本体２の外側を前記中心軸を中心にして延びており、中央の本体２を環状に囲んでいる環状のスカート１０を備えている。
【００１３】
好ましくは、スカート１０は、下側の自由縁１０ａと、中央の本体２のベース６に位置する上側の自由縁１０ｂとを有する連続壁から形成されている。
【００１４】
好ましい実施の形態によれば、中心軸Ｘに直交する仮想の平面が、キャップ１について定められ、スカート１０の上部を定める上面１１が、この平面に位置している。
【００１５】
好ましくは、上側の自由縁１０ｂそのものが、前記上面１１に開口１４を定める外周を呈している。
【００１６】
好ましくは、スカート１０が、中央の本体２の周囲において環状に連なり、好ましくは丸みを帯びた縁によって互いにつながっている複数の面１２を備えている。
【００１７】
この側面の連なりは、好ましくは、たとえば六角形などの多角形を形成している。結果として、下側の自由縁１０ａが、たとえば六角形などの多角形である。
【００１８】
さらに、好ましくは、側面１２が下側の自由縁１０ａから上側の自由縁１０ｂへと弓なりに湾曲し、外側に向かって凸である。
【００１９】
中央の本体２は、スカート１０へとつながっている。
【００２０】
たとえば、キャップ１が、本体２から外へと放射状に突き出して、中央の本体２をスカート１０へと接続する複数のタブ１６を備えている。
【００２１】
好ましくは、タブ１６が４つであり、等しい角度間隔に位置している。
【００２２】
スカート１０は、中央の本体２から半径方向に離れており、したがって角度を空けて位置するタブ１６のおかげで、たとえば子供によるキャップの誤飲に起因する窒息の事故を防止すべく空気を通過させることができる通路が生み出されている。
【００２３】
キャップ１は、第１のキャップ１をさらなる同様のキャップ１’へと着脱可能な様相で横方向に取り付けるために適した着脱可能な横取り付け手段を備えている。この横取り付け手段は、特に、第１のキャップ１のスカート１０を第２のキャップ１’のスカートへと横並びに取り付けるために適している。
【００２４】
好ましい実施の形態によれば、前記横取り付け手段が、スナップ式または締まりばめ式で機能する。
【００２５】
たとえば、前記横取り付け手段が、第１のキャップ１のスカート１０の同じ面１２から外へと突き出している複数のリブ２０を備えており、隣り合う２つのリブ２０の間にさらなるキャップ１’のスカートから突き出すリブのための座２２が形成されている。
【００２６】
好ましくは、同じ面１２に位置するリブ２０は、互いに平行である。
【００２７】
好ましくは、リブ２０は、いかなる鋭い角も持たない弓なりの外面を形成するように、下側の自由縁１０ａから上側の自由縁１０ｂに向かって厚さが変化しており、たとえば厚さが減少している。
【００２８】
好ましくは、同じキャップ１の隣り同士の面１２は、互いに係合するために異なる数のリブを有する。
【００２９】
たとえば、好ましい実施の形態によれば、３つまたは４つのリブを有する面１２が交互に環状に位置している。
【００３０】
このやり方で、さらなるキャップ１’の２つのさらなるリブを、第１のキャップ１の３つのリブ２０の間の２つの座２２に収容することができる。
【００３１】
換言すると、リブが、環状に分けられた複数のグループに分割されており、或る１つのリブのグループが、隣のグループとは異なる数のリブを含んでいる。
【００３２】
さらに、好ましくは、キャップ１が、第１のキャップ１をこの第１のキャップに軸方向に重なるさらなる類似のキャップ１’’へと着脱可能な様相で取り付けるために適した着脱可能な軸方向の取り付け手段を備えている。
【００３３】
好ましくは、前記軸方向の取り付け手段が、第１のキャップ１のタブ１６をさらなるキャップ１’’のスカートへと取り付けるために適している。
【００３４】
好ましい実施の形態によれば、前記軸方向の取り付け手段が、スナップ式または締まりばめ式で機能する。
【００３５】
たとえば、前記軸方向の取り付け手段が、タブ１６から軸方向に突き出している少なくとも１つの歯３０を備えている。
【００３６】
好ましくは、正反対に向かい合うタブ１６から突き出す２つの歯３０が設けられる。
【００３７】
一実施の形態においては、それぞれのタブから突き出す４つの歯３０が設けられる。
【００３８】
２つの歯３０は、さらなるキャップ１’’のスカートの上側の自由縁１０ｂに入り込み、このスカートと締まりばめによって係合するために適している。
【００３９】
好ましくは、前記歯３０が、歯を上側の自由縁１０ａへと挿入するためのガイドとして機能する斜めの外面を有している。
【００４０】
したがって、本発明によれば、キャップ１が、このキャップ１を着脱可能な様相で少なくとも１つのさらなる類似のキャップ１’、１’’へと機械的に取り付けるために適した取り付け手段を備えている。
【００４１】
さらには、好ましくは、キャップが、たとえば成型によってプラスチック材料で一部品として作られている。
【００４２】
革新的なことに、本発明によるキャップは、キャップをつなぎ合わせることによって玩具として使用することができる点で、特に子供の視点において、容器または瓶を目を引くものにする。
【００４３】
当業者であれば、種々の要件を満たすために、上述のキャップに変更を加えることが可能であることが明らかである。
【００４４】
たとえば、一実施の形態の変種（図示せず）によれば、スカートが、中央の本体の周囲に互いに環状に並ぶ複数の別々の部位を備える。
【００４５】
さらなる実施の形態の変種によれば、スカートが、円形または楕円形の下側の自由縁を有する。
【００４６】
またさらなる実施の形態によれば、スカートが、球状キャップの形状である。
【００４７】
さらには、たとえば一実施の形態の変種によれば、リブが互いに収束または発散している。
【００４８】
そのような変種も、以下の特許請求の範囲によって定められるとおりの保護の範囲に含まれる。
【図１】
0005943630.tif 000002
【図２】
0005943630.tif 000003
【図３】
0005943630.tif 000004
【図４】
0005943630.tif 000005
【図５】
0005943630.tif 000006